(57)【特許請求の範囲】
【請求項１】
露光秒時よりも短い間隔で連続発光するフラット発光制御が可能なカメラにおいて、
被写体までの距離を測定する測距手段と、
上記フラット発光固有のレリ−ズロック距離として予め定められた所定値と上記測距された測距値とを比較する比較手段と、
上記測距値が上記所定値よりも小さい際に、上記フラット発光を含む露光動作を禁止する露光禁止手段と、を具備したことを特徴とするカメラ。
【請求項２】
閃光発光またはフラット発光制御のいずれかの発光形態を選択制御可能なカメラにおいて、
設定されたシャッター秒時に基づいて、閃光発光させるかフラット発光させるかを決定する決定手段と、
発光形態が決定された際に、該発光形態固有のレリ−ズロック距離として予め定められた所定値と測距値とを比較する比較手段と、
上記測距値が上記所定値よりも小さい際に、露光動作を禁止する露光禁止手段と、を具備したことを特徴とするカメラ。
【請求項３】
露光秒時よりも短い間隔で連続発光するフラット発光制御が可能なカメラにおいて、
設定されたシャッター秒時に基づいて、フラット発光時におけるレリ−ズロック距離を設定するレリ−ズロック距離設定手段と、
上記設定されたレリ−ズロック距離と測距値とを比較する比較手段と、
上記測距値が上記レリ−ズロック距離よりも小さい際に、上記フラット発光を含む露光動作を禁止する露光動作禁止手段と、を具備したことを特徴とするカメラ。
【発明の詳細な説明】
【０００１】
【産業上の利用分野】
ストロボ撮影時におけるカメラのレリーズロック制御技術、詳しくはフラット発光撮影時における露光動作を被写体距離に基づいて制御するカメラに関する。
【０００２】
【従来技術】
露光秒時よりも短い間隔で連続発光させることにより、閃光発光に比べて総発光量（総露光量）を確実に制御でき、またスリット撮影による高速シャッタを実現できるフラット発光制御技術は既に公知である。
【０００３】
【発明が解決しようとする課題】
しかしながら、フラット発光撮影をする際に、被写体が所定値よりも近距離に位置している場合には露出オーバーになってしまうという問題点があった。即ち、一般にフラット発光のために行われる制御は、パルスのデューティーを所定値より小さくすると発光が最後まで持続せず途中で途切れてしまうことがあることから、シャッターの先幕及び後幕が走行している間は発光が途切れないようにパルスデューティーを所定値よりも大きくしている。そのため、フラット発光で制御できる最小のガイドナンバ−が必然的に閃光発光のガイドナンバ−より大きくなり、上述の如き条件のときに露出オーバーになってしまっていた。
本願発明は上記問題点を解決するためになされたもので、フラット発光撮影する際に、撮影した写真が露出オーバーとならないカメラを提供することを目的とする。
【０００４】
【課題を解決するための手段】
本願発明の請求項１に記載のカメラは、露光秒時よりも短い間隔で連続発光するフラット発光制御が可能なカメラにおいて、被写体までの距離を測定する測距手段と、上記フラット発光固有のレリ−ズロック距離として予め定められた所定値と上記測距された測距値とを比較する比較手段と、上記測距値が上記所定値よりも小さい際に、上記フラット発光を含む露光動作を禁止する露光禁止手段と、を具備したことを特徴とする。
本願発明の請求項２に記載のカメラは、閃光発光またはフラット発光制御のいずれかの発光形態を選択制御可能なカメラにおいて、設定されたシャッター秒時に基づいて、閃光発光するかフラット発光するかを決定する決定手段と、発光形態が決定された際に、該発光形態固有のレリ−ズロック距離として予め定められた所定値と測距値とを比較する比較手段と、上記測距値が上記所定値よりも小さい際に、露光動作を禁止する露光禁止手段と、を具備したことを特徴とする。
本願発明の請求項３に記載のカメラは、露光秒時よりも短い間隔で連続発光するフラット発光制御が可能なカメラにおいて、設定されたシャッター秒時に基づいて、フラット発光時におけるレリ−ズロック距離を設定するレリ−ズロック距離設定手段と、上記設定されたレリ−ズロック距離と測距値とを比較する比較手段と、上記測距値が上記レリ−ズロック距離よりも小さい際に、上記フラット発光を含む露光動作を禁止する露光動作禁止手段と、を具備したことを特徴とする。
【０００５】
【実施の形態】
以下に、本発明の実施の形態を図面に基づいて説明する。
図１は本発明の全体構成図を示しており、図２は図１の構成におけるストロボ撮影時の全体的な流れを説明するためのフロ−チャ−トを示している。また、図３は図２中における「閃光発光処理サブル−チン」を説明するためのフロ−チャ−トであり、図４は図２中における「フラット発光処理サブル−チン」を説明するためのフロ−チャ−トである。
【０００６】
図１において、カメラ全体の撮影シ−ケンスを制御する撮影制御手段１は、被写体までの距離を測定する測距手段２と撮影シーンの輝度を測定する測光手段３とからの出力に基づいて、撮影レンズの後方に配置された絞り５の開口径を決定する絞り制御手段４及びシャッター６の開閉スピ−ドを決定するシャッター制御手段７を制御する。
【０００７】
また、撮影制御手段１は、上記測光手段３からの出力に基づいてストロボを使用しなければ撮影を行えないと判断した場合に、発光制御手段８を制御し、公知の回路であるストロボ回路９を駆動して、発光部１０から閃光発光またはフラット発光のいずれかの発光形態で行われるように制御する。
さらに、この撮影制御手段１は閃光発光またはフラット発光を制御するだけでなく、発光部１０から放出される光のその他の状態、即ち、赤目軽減発光制御、またはガイドナンバー制御等も行うようになっており、上記発光制御手段８へ制御信号を送って該発光制御手段８を駆動し、上記発光部１０から放出される予定の光の種類に基づいて上記ストロボ回路９内におけるメインコンデンサへの充電及び充電された電荷の放出等を制御する。尚、閃光発光かフラット発光かの決定は後述するフロ−チャ−トの中で説明する。
【０００８】
また、測光測距等の撮影シ−ケンスを起動させる第１レリーズＳＷ１１と該第１レリーズＳＷ１１がオンの状態でシャッタの駆動等の実際の露光動作を開始させる第２レリーズＳＷ１２が上記撮影制御手段１に接続され、該撮影制御手段１を介して命令の授受を行わせる。
また、上記撮影制御手段１には撮影情報を表示する表示手段１３が接続されている。この表示手段１３は、上記ＳＷ１１により撮影シ−ケンスが起動した際のストロボの充電状態や、測距の状態等を表示するものでファインダー内やカメラの外部に設けられている。
【０００９】
次に本実施形態における動作について図２至図４を用いて説明する。
図２は図１の構成におけるストロボ撮影時の基本的な動作を説明するためのフロ−チャ−トで、まず、第１レリーズＳＷ１１がオンされたかどうかの検出を行なう（Ｓ１）。オンされていれば測距手段２によって被写体までの距離を測る測距動作を行ない（Ｓ２）、測距値Ｄをレジスタ等に格納しておく（Ｓ３）。そして、測光手段３によって撮影シーンの輝度を測光する為に測光動作を行い（Ｓ４）、上記測光値に基づいて、撮影レンズの絞り値ＡＶ及びシャッタースピードＴＶを算出（Ｓ５）し、次に発光するための電荷が十分にあるかどうかを確認するためにメインコンデンサの電圧を検出する（Ｓ６）。
【００１０】
メインコンデンサの電圧が十分にある場合には、Ｓ５で算出したシャッタースピードＴＶが、一般にシャッタの全開秒時として予め定められた所定値であるＸ秒時を越えているかどうかの判断を行う。（Ｓ７）  即ち、シャッタースピードＴＶがＸ秒時と同じかＸ秒時よりも低速秒時の時は閃光発光処理が可能であるとして閃光発光処理サブルーチン（Ｓ８）へ飛び、シャッタースピードＴＶがＸ秒時よりも高速秒時の時はフラット発光処理サブルーチンへ飛ぶ（Ｓ９）。ここで、本実施の形態では閃光発光とフラット発光とがＸ秒時を境にして自動的に切り換えるようにしているがカメラ本体に設けた外部ボタン等のマニュアル手段で切り換えるようにしても良い。
【００１１】
閃光発光処理サブルーチン及びフラット発光処理サブルーチンについては後で詳細に説明するが、この閃光発光処理サブルーチンまたはフラット発光処理サブルーチンが終了したら、上記第２レリーズＳＷ１２がオンされたか否かの検出を行ない、オンである場合には後述する閃光発光処理サブルーチンまたはフラット発光処理サブルーチン内で設定されるレリーズロックフラグＦＧを見に行き、オフならば上記第１レリーズＳＷ１１の状態を見に行く（Ｓ１０）。
【００１２】
上記第２レリーズＳＷ１２がオフの場合、上記第１レリーズＳＷ１１の状態がオンであれば再びＳ１０に戻り、同ＳＷ１１がオフであれば撮影シ−ケンスが解除されたとしてＳ１に戻る（Ｓ１１）。
また、Ｓ１０で第２レリーズＳＷ１２がオン状態でレリーズロックフラグがＦＧ＝１である場合には、ストロボ撮影を行う際の被写体距離が近すぎて露出オ−バ−になると判断してレリーズロック処理を行い（Ｓ１３）、その後、第２レリーズＳＷ１２の状態検出を行ない、該第２レリーズＳＷ１２がオンであればＳ１３に戻り、第２レリーズＳＷ２オフであれば再びＳ１１に戻って第１レリーズＳＷ１１の状態を確認を行う（Ｓ１４）。
【００１３】
Ｓ１２でレリーズロックフラグがＦＧ＝０である場合には、ストロボ撮影を行う際の被写体距離は適性であると判断し、シャッター開（Ｓ１５）、ストロボ発光（Ｓ１６）、シャッター閉（Ｓ１７）という通常のストロボ使用時における露光動作を行って終了する。
尚、Ｓ１６で行われるストロボの発光形態は、Ｓ７にて選択された発光形態である。
【００１４】
次に図２の基本フロ−チャ−ト中の閃光発光処理サブルーチン（Ｓ８）とフラット発光処理サブルーチン（Ｓ９）について図３及び図４を用いて詳細に説明する。
図３は閃光発光処理サブルーチンを示したもので、まず、測距手段２によって検出された被写体距離Ｄが、撮影レンズ光学系又は測距手段等で決まるカメラ固有の至近限界距離としての、予め定められた基準距離Ｄ１よりも大きいか否かを比較する（Ｓ１８）。
【００１５】
そして、比較した結果が、Ｄ≧Ｄ１の時には適正露出が可能であるとしてレリーズロックフラグＦＧ＝０に設定し（Ｓ１９）、撮影レンズの絞り値ＡＶと被写体距離Ｄに基づいてストロボ発光光量ＧＶを算出（Ｓ２０）してＳ１０にリターンし、Ｄ＜Ｄ１の時には露出オ−バ−になると判断してレリーズロックフラグＦＧ＝１に設定した後（Ｓ２１）、Ｓ１０にリターンする。
【００１６】
図４はフラット発光処理サブルーチンを示したもので、上述した閃光発光処理サブルーチンと同様に、まず、測距手段２によって検出された被写体距離Ｄが、予め定められた基準距離Ｄ２（＞Ｄ１）よりも大きいか否かを比較する（Ｓ２２）。ここでＤ２の値を上記のＤ１より大きい値に設定するのは、フラット発光で制御できる最小光量は閃光発光で制御できる最小光量より大きいため、Ｄ１より大きい距離Ｄ２でレリーズロックをかけることにより露出オーバーな写真がとれてしまうことを防ぐためである。
【００１７】
尚、フラット発光で制御できる最小光量が閃光発光で制御できる最小光量より大きい理由は、一般に、短い間隔の中で小発光を連続して行わせるフラット発光において発光量を小さくする制御を行う場合、発光パルス幅を小さくするか、発光間隔を大きくすれば単位時間当りの輝度を小さくすることができるのであるが、シャッター走行中においても確実にフラット発光を持続させるには小さくできるパルス幅及び大きくできる発光間隔には限界があるためである。
【００１８】
Ｓ２２で測距した被写体距離Ｄと基準距離Ｄ２とを比較した結果、Ｄ≧Ｄ２の時には適正露出が可能であるとしてレリーズロックフラグＦＧ＝０に設定し（Ｓ２３）、撮影レンズの絞り値ＡＶ、シャッタースピードＴＶと被写体距離Ｄに基づいてストロボ発光光量ＧＶＦを算出（Ｓ２４）し、Ｓ１０にリターンする。又、Ｄ＜Ｄ２の時には露出オ−バ−になると判断してレリーズロックフラグＦＧ＝１に設定した後（Ｓ２５）、Ｓ１０にリターンする。
【００１９】
このように本実施の形態によれば、閃光発光時とフラット発光時とで各々異なる近距離側レリーズロック距離を設定しているので発光形態に関係なく露出オーバーとなる写真を撮ることを防止することができる。
【００２０】
尚、本実施の形態ではフラット発光でのレリーズロック距離を所定値Ｄ２に固定しているが、所定値Ｄ２に対応するシャッター秒時よりも高速のシャッター秒時で露光するときには、フラット発光での露光に寄与する有効光量が小さくなるので、シャッター秒時が高速になるほどＤ２の値を小さいほうへシフトするようにしてもよい。この場合、シャッター秒時に基づいて予め記憶させておいた値に自動的に設定するようにしても良いし、手動で任意に変更設定できるようにしても良い。
【００２１】
このように実際の被写体距離Ｄと比較する基準距離Ｄ１、Ｄ２を自動または手動で設定可能なようにすることにより、特にスリット露光による高速シャッターが可能なフォーカルプレーンシャッター式カメラでフラット発光によるストロボ同調撮影を行う際には、種々のシャッタスピ−ドに応じてやレリーズロック距離を変更する事ができるので、写真が露出オーバーとなることを防止することができる。
【００２２】
以上、説明した実施態様によれば以下の如き構成を得ることができる。
＜付記１＞
閃光発光またはフラット発光制御のいずれかの発光形態を選択可能なカメラにおいて、
被写体までの距離を測定する測距手段と、
被写体の明るさに基づいてシャッター秒時を設定するシャッター秒時設定手段と、
上記設定されたシャッター秒時に基づいて、閃光発光させるかフラット発光させるかを選択する選択手段と、
上記設定されたシャッター秒時に基づいて、閃光発光またはフラット発光の各々に固有なレリ−ズロック距離を設定するか設定手段と、
上記選択された発光形態に対応するレリ−ズロック距離と上記測距手段によって測距された測距値とを比較する比較手段と、
上記測距値が設定されたレリ−ズロック距離よりも小さい際に、露光動作を禁止する露光動作禁止手段と、
を具備したことを特徴とするカメラ。
＜付記２＞
シャッター秒時が高速になるほどレリ−ズロック距離を小さくすることを特徴とする付記１に記載のカメラ。
【００２３】
【発明の効果】
本発明によれば、フラット発光撮影する際に被写体が所定の距離よりも近い場合にはレリーズがロックされるので、露出オーバーとなる写真を撮ることを防止することができる。また、通常の閃光発光かフラット発光かの発光形態に対応してレリーズロック距離を変えられるようにしたので、上記発光形態に関係なく露出オーバーとなる写真が撮れるのを防止することができる。
【図面の簡単な説明】
【図１】本発明の全体構成図を示した図
【図２】ストロボ撮影する際の全体的な流れを説明するためのフロ−チャ−ト。
【図３】「閃光発光処理サブル−チン」を説明するためのフロ−チャ−ト。
【図４】「フラット発光処理サブル−チン」を説明するためのフロ−チャ−ト。
【符号の説明】
１  撮影制御手段
２  測距手段
３  測光手段
４  絞り制御手段
７  シャッター制御手段
８  発光制御手段
９  ストロボ回路
１０  発光部
【図１】
0003709243.tif 000002
【図２】
0003709243.tif 000003
【図３】
0003709243.tif 000004
【図４】
0003709243.tif 000005